(57)【特許請求の範囲】
【請求項１】
液体により動物の大腸における糞便を軟化させるとともに前記糞便を前記動物の大腸から吸引するための動物糞便吸引装置であって、
前記動物の大腸に差し入れるための差し入れ部と接続部とを含む管状本体と、
前記管状本体に形成された糞便吸引通路と、
前記糞便吸引通路と平行に前記管状本体の管壁内に概ね均等間隔で設けられ、前記差し入れ部側に複数の液体出口が形成された複数の液体通路と、
前記接続部に接続されるとともに前記糞便吸引通路に連通され、前記糞便吸引通路に吸引力を発生させる吸引器と、
前記接続部に接続されるとともに前記液体通路に連通され、前記液体出口を介して前記動物の大腸に前記液体を供給する液体供給装置と、
を備え、前記液体により前記糞便を軟化させるとともに、前記吸引器からの前記吸引力により前記糞便を前記糞便吸引通路を介して前記動物の大腸から吸引する、動物糞便吸引装置。
【請求項２】
前記吸引器は、前記動物の大腸から吸引された前記糞便を収容するための糞便収容空間を含むことを特徴とする請求項１に記載の動物糞便吸引装置。
【請求項３】
前記吸引器は、着脱可能な収容容器を含み、前記着脱可能な収容容器には前記糞便収容空間が設けられることを特徴とする請求項２に記載の動物糞便吸引装置。
【請求項４】
前記液体は、水及び潤滑剤のいずれか一つであることを特徴とする請求項１に記載の動物糞便吸引装置。
【請求項５】
前記吸引器は、前記吸引力を発生させるためのポンプを含むことを特徴とする請求項１に記載の動物糞便吸引装置。
【請求項６】
前記液体供給装置は、前記液体を送り出すための加圧ポンプを含むことを特徴とする請求項１に記載の動物糞便吸引装置。
【請求項７】
前記液体通路は、前記管状本体の前記差し入れ部の前記管壁内に設けられることを特徴とする請求項１に記載の動物糞便吸引装置。
【請求項８】
前記糞便吸引通路の内径は、前記液体通路のそれぞれの内径よりも大きいことを特徴とする請求項１に記載の動物糞便吸引装置。
【発明の詳細な説明】
【技術分野】
【０００１】
本発明は、動物糞便吸引装置に関し、特に犬猫の便秘の治療に適用される動物糞便吸引装置に関するものである。
【背景技術】
【０００２】
今日、低出生率、都市化、独身主義及び小家族化の進行によって、ペットを飼育する人は年々増加している。また、飼い主は、ペットを単なる愛玩動物としてではなく、生活のパートナー及び精神的な支えとして見なすのが一般的であり、ペットの体の具合が悪くなると、すぐに動物病院に駆け込んでペットに対して全力で治療に取り組む。飼い主がペットの生理、心理状態に対して重大な関心を払うことから、ペットの健康介護市場は極めて大きいと言える。
【発明の概要】
【発明が解決しようとする課題】
【０００３】
犬、猫類のペットは、年齢の増加に伴い、又は飼料における栄養素の不均衡、繊維質の不足、若しくはペット自身の遺伝子の欠陥により、胃腸の蠕動力が衰え、糞便が硬くなり結腸に堆積することがよくある。この場合、獣医師は、まず浣腸液を大腸に注入して糞便の排出ができるようにする方法を採用することが多い。糞便の堆積が深刻な場合、獣医師は、指をペットの肛門から直腸に差し入れ、堆積した糞便を素手で取り出す。しかしながら、糞便が直腸より奥の結腸の箇所に堆積することがよくあるため、単に人の手指の長さに頼るだけでは、堆積した糞便を徹底的に取り除くことができない。
【０００４】
糞便の堆積がさらに深刻となれば、頻発する糞便の堆積問題を根本的に解決するために、獣医師は、ペットへの別の対処方法として、結腸の切除手術を行い、結腸の末端を切除することがある。大腸全体の長さが短くなると、糞便からの水分の吸収が少なくなり、糞便が硬化及び堆積しにくくなって、ペットの便秘問題の改善が可能となる。しかしながら、結腸切除手術は、高齢又は病弱のペットにとっては健康上のリスクがあるため、全てのペットに適用することができない。
【０００５】
そこで、以上のとおりの事情に鑑み、本発明は、動物において糞便が大腸に堆積する問題を解決するために、動物の大腸に差し入れ、液体を利用して糞便を軟化させて当該糞便を大腸から吸引するための動物糞便吸引装置を提供する。この動物糞便吸引装置によれば、獣医師が糞便を素手で取り出すよりも除去効率が高いのみならず、結腸切除手術に見られる感染や合併症のリスクを回避することも可能である。
【課題を解決するための手段】
【０００６】
本発明に係る動物糞便吸引装置は、管状本体、糞便吸引通路、複数の液体通路、吸引器及び液体供給装置を備える。管状本体は、動物の大腸に差し入れられる差し入れ部と、接続部とを含み、糞便吸引通路が管状本体に形成される。液体通路は、管状本体の管壁に設けられ、差し入れ部に複数の液体出口が形成される。
【０００７】
吸引器は、接続部に接続されるとともに、糞便吸引通路に連通されたポンプを含み、該ポンプにより糞便吸引通路に吸引力を発生させる。液体供給装置は、接続部に接続されるとともに、液体通路に連通された加圧ポンプを含み、該加圧ポンプにより液体に対する加圧を行って、液体出口を介して動物の大腸に液体を供給する。ここで、液体は、水と潤滑剤のいずれか一つであってもよい。差し入れ部が動物の大腸に差し入れられ、液体出口を介して液体を送ることで糞便を軟化させるとともに、ポンプによって発生された吸引力を利用して糞便を糞便吸引通路を介して動物の大腸から吸引する。
【０００８】
本発明に係る好ましい実施例において、吸引器は、大腸から吸引された糞便を収容するための糞便収容空間を有する着脱可能な収容容器をさらに含む。
【発明の効果】
【０００９】
本発明に係る動物糞便吸引装置によれば、従来のような獣医師がペットの便秘問題を指又は結腸切除手術でしか解決できないという問題を克服できる。即ち、本発明に係る動物糞便吸引装置は、管状本体の差し入れ部を動物の大腸に差し入れるとともに、液体供給装置を用いて液体通路及び液体出口を介して動物の大腸に液体を供給することにより、乾いて硬い糞便を軟化させる。糞便が軟化された後、さらに吸引器により管状本体における糞便吸引通路に吸引力を発生させ、糞便を動物の大腸から吸引し、吸引器における着脱可能な収容容器中の糞便収容空間に収容する。
【００１０】
本発明に係る動物糞便吸引装置は、上述した使用方法によれば、獣医師が糞便を指で取り出すよりも糞便の除去効果に優れ、ペットを結腸切除手術によるリスクから回避させることが可能であるため、新規でかつ優れた臨床効果を有する創作である。
【図面の簡単な説明】
【００１１】
【図１】本発明に係る好ましい実施例の第１の実施例における動物糞便吸引装置の立体構造図である。
【図２】本発明に係る好ましい実施例の第１の実施例における動物糞便吸引装置の断面模式図である。
【図３】本発明に係る好ましい実施例の第２の実施例における動物糞便吸引装置の立体構造図である。
【図４】本発明に係る好ましい実施例の第１の実施例における動物糞便吸引装置の適用模式図である。
【図５】本発明に係る好ましい実施例の第１の実施例における動物糞便吸引装置の使用模式図である。
【図５Ａ】本発明に係る好ましい実施例の第１の実施例における動物糞便吸引装置の使用模式図である。
【発明を実施するための形態】
【００１２】
以下、好ましい２つの実施例を用いて本発明の実施形態を説明する。当業者は、本明細書の記載内容に基づいて容易に実施可能である。
【００１３】
図１及び図２は、本発明の好ましい実施例の第１の実施例における動物糞便吸引装置の立体構造図及び断面模式図をそれぞれ示す。これらの図に示すように、動物糞便吸引装置１００は、管状本体１、糞便吸引通路２、複数の液体通路３、吸引器４及び液体供給装置５を含む。
【００１４】
管状本体１は、プラスチック射出成形により製造されてもよく、金属、ゴム又はシリコンゲルからなってもよい。管状本体１の前方部及び後方部は、それぞれ差し入れ部Ｅ１及び接続部Ｅ２である。差し入れ部Ｅ１は、動物の大腸に差し入れられ、接続部Ｅ２は、吸引器４と液体供給装置５とを接続する。糞便吸引通路２は、管状本体１における中空箇所に形成され、複数の液体通路３が、管状本体１の管壁に環状に分布して設けられるとともに、差し入れ部Ｅ１に複数の液体出口３１が形成される。また、それらの複数の液体通路３は、管状本体１の管壁における環状通路３２を介して互いに連通される。
【００１５】
吸引器４は、ポンプ（図示せず）及び着脱可能な収容容器４１を含み、着脱可能な収容容器４１は糞便収容空間を有する袋又はケース状物であってもよい。本実施例において、着脱可能な収容容器４１は袋であり、吸引器４のハウジングの後端に着脱自在に嵌設される。吸引器４は、接続部Ｅ２に接続されるとともに糞便吸引通路２に連通され、ポンプ（図示せず）により糞便吸引通路２に吸引力を発生させる。本実施例において、吸引器４は接続部Ｅ２に直接設けられる。
【００１６】
液体供給装置５は、輸液管５１、加圧ポンプ５２及び液体収容槽５３を含み、輸液管５１が液体収容槽５３に連通され、液体収容槽５３が液体を収容し、加圧ポンプ５２が該液体に対して加圧を行う。ここで、液体は、糞便３００を軟化させるための水又はグリセリン等の潤滑剤であってもよく、液体には、糞便の軟化効果を高める関連化合物がさらに添加されてもよい。
【００１７】
液体供給装置５は、輸液管５１を介して管状本体１の接続部Ｅ２における管壁内の環状通路３２に連通され、それによって複数の液体通路３に連通される。加圧ポンプ５２が起動されると、液体が加圧されてそれらの複数の液体通路３を介して動物の大腸内に送られる。
【００１８】
図３は、本発明に係る好ましい実施例の第２の実施例における動物糞便吸引装置の立体構造図である。図３に示すように、本実施例において、動物糞便吸引装置１００’は、第１の実施例と同様に、管状本体１、管状本体１の中空箇所に形成された糞便吸引通路２、管状本体１の管壁に環状に分布して設けられた液体通路（図示せず）を含む。液体通路（図示せず）は、管状本体１の差し入れ部Ｅ１に複数の液体出口３１が形成されるとともに管状本体１の管壁において互いに連通される。
【００１９】
この実施例において、動物糞便吸引装置１００’はさらに操作本体８、吸引器６及び液体供給装置７を含む。吸引器６は、連通管６１、ポンプ６２及び着脱可能な収容容器６３を含む。液体供給装置７は、輸液管７１、加圧ポンプ７２及び液体収容槽７３を含む。操作本体８にはポンプ６２と加圧ポンプ７２とが一体化されており、電子機械の構成により使用者は、操作本体８の押しボタンを操作してポンプ６２及び加圧ポンプ７２のそれぞれに対して始動及び停止制御を行うことにより、吸引器６及び液体供給装置７の作動をより容易に制御することができる。
【００２０】
連通管６１は、一方が管状本体１の接続部Ｅ２に接続されるとともに糞便吸引通路２に連通され、同時に着脱可能な収容容器６３にも連通される。輸液管７１は、液体通路（図示せず）及び液体収容槽７３に連通される。この実施例において、着脱可能な収容容器６３は、管状本体１から独立して設けられており、より大きな収容空間によって一度により多くの糞便を収容できるようにするために、体積の大きいケース状物に設計されてもよい。
【００２１】
図４は、本発明に係る好ましい実施例の第１の実施例における動物糞便吸引装置の適用模式図である。図４に示すように、動物２００、例えば猫に対して全身又は局所の麻酔を行い、消毒された動物糞便吸引装置１００の差し入れ部Ｅ１を、動物２００の肛門２１０から動物２００の大腸における結腸の箇所に差し入れる。次に、液体供給装置５の加圧ポンプを起動させ、液体を輸液管５１を介して液体通路３に加圧注入する。
【００２２】
次に、図５及び図５Ａは、本発明に係る好ましい実施例の第１の実施例における動物糞便吸引装置の使用模式図である。図５に示すように、液体は、液体通路３を経由し、差し入れ部Ｅ１上の液体出口３１から大腸２２０に吐出される。液体は、乾いて硬い糞便が堆積された糞便塊に吐出され、糞便塊に浸入した後、糞便塊を糞便の小塊３００に分解し、これと同時に、腸壁に潤いを与える。
【００２３】
図５Ａに示すように、糞塊が柔らかい糞便の小塊３００に分解されるとともに腸壁に充分潤いが与えられた後、吸引器４のポンプを起動し、糞便吸引通路２に吸引力を発生させ、糞便の小塊３００を糞便吸引通路２を介して動物２００の大腸２２０から吸引し、着脱可能な収容容器４１における糞便収容空間に収容する。
【００２４】
上述の実施形態は本発明の原理および効果・機能を例示的に説明するに過ぎず、本発明は、これらによって限定されるものではない。本発明に係る実質的な技術内容は、特許請求の範囲に定義される。本発明は、当業者により本発明の主旨を逸脱しない範囲で種々に修正及び変更されることが可能であり、そうした修正及び変更は、特許請求の範囲に入るものである。
【符号の説明】
【００２５】
１００、１００’  動物糞便吸引装置
２００  動物
２１０  肛門
２２０  大腸
３００  糞便の小塊
１  管状本体
２  糞便吸引通路
３  液体通路
３１  液体出口
３２  環状通路
４、６  吸引器
６１  連通管
６２  ポンプ
４１、６３  着脱可能な収容容器
５、７  液体供給装置
５１、７１  輸液管
５２、７２  加圧ポンプ
５３、７３  液体収容槽
Ｅ１  差し入れ部  
Ｅ２  接続部
【図１】
0005709683.tif 000002
【図２】
0005709683.tif 000003
【図３】
0005709683.tif 000004
【図４】
0005709683.tif 000005
【図５】
0005709683.tif 000006
【図５Ａ】
0005709683.tif 000007